(57)【特許請求の範囲】
【請求項１】
一面に複数の接続端子が並設されているカードと、前側面に前記カードのカード挿入口を開口し、該カード挿入口の奥側内部に前記接続端子に接触させて電気的に接続させる複数のコンタクトが並設されている箱状のハウジングと、前記ハウジング内の一側部に配置され、前記カード挿入口から前記ハウジング内に挿入された前記カードと共に前後方向に移動するスライド部材と、前記接続端子に前記コンタクトが接触して電気的に接続される前記カードの装着を検出するカード検出スイッチ機構とを備えたカードコネクタにおいて、前記カード検出スイッチ機構は、前記スライド部材に設ける摺動接点と、前記ハウジングに取付けられ前記スライド部材の移動方向に並ぶ一対の接点と、から構成し、前記カードの挿入に伴う前記スライド部材の移動により前記摺動接点が前記ハウジング側の前記各接点と順次接触・摺動し、前記ハウジング側の前記各接点を前記カードの装着時に導通させることを特徴とするカードコネクタ。
【発明の詳細な説明】
【技術分野】
【０００１】
本発明は、メモリカード等のカードをＰＣや携帯電話機等の電子機器に接続するためのカードコネクタの中で、カード検出スイッチ機構を備えたカードコネクタに関する。
【背景技術】
【０００２】
この種の従来技術として、前側面にカード挿入口を開口した箱状のハウジング内にプッシュ／プッシュ型のイジェクト機構と共にカード検出スイッチ機構を備えたものがある（例えば、特許文献１参照）。
【特許文献１】特開２００４−３４９２２３号公報
【発明の開示】
【発明が解決しようとする課題】
【０００３】
前記従来技術のカード検出スイッチ機構は、可動接点としての板バネが、イジェクト機構を構成するスライド部材のカード挿入に伴う移動により、スライド部材の移動方向とは垂直方向に変位し、固定接点に突合せ接触することで、可動接点と固定接点が導通し、カードの装着を検出するが、接点にワイピングをほとんど生じないため、接点表面に異物が付着したり酸化皮膜が形成したりすると、接点の接触不良を招き、接触信頼性が高いとは言えなかった。
【０００４】
スイッチ接点の接触方式には、上記のようなワイピングをほとんど生じない突合せ接触方式の他に、ワイピングを生じる摺動接触方式がある。摺動接触方式は、一方の接点に他方の接点が接触後に摺動し、接点表面がセルフクリーニング効果を受けるため、高い接触信頼性が得られる。しかし、摺動接触方式では、接点の形状が突合せ接触方式に比べて複雑で大きくなり、またそうしないと十分なワイピング量を確保することができないため、前記従来技術のカード検出スイッチ機構のスイッチ接点の接触方式として摺動接触方式を採用すると、カードコネクタの大きさを損なうことになる。
【０００５】
本発明が解決しようとする課題は、カードコネクタの大きさを損なわずにカード検出スイッチ機構の接触信頼性を向上できない点である。
【課題を解決するための手段】
【０００６】
本発明は、一面に複数の接続端子が並設されているカードと、前側面に前記カードのカード挿入口を開口し、該カード挿入口の奥側内部に前記接続端子に接触させて電気的に接続させる複数のコンタクトが並設されている箱状のハウジングと、前記ハウジング内の一側部に配置され、前記カード挿入口から前記ハウジング内に挿入された前記カードと共に前後方向に移動するスライド部材と、前記接続端子に前記コンタクトが接触して電気的に接続される前記カードの装着を検出するカード検出スイッチ機構とを備えたカードコネクタにおいて、前記カード検出スイッチ機構は、前記スライド部材に設ける摺動接点と、前記ハウジングに取付けられ前記スライド部材の移動方向に並ぶ一対の接点と、から構成し、前記カードの挿入に伴う前記スライド部材の移動により前記摺動接点が前記ハウジング側の前記各接点と順次接触・摺動し、前記ハウジング側の前記各接点を前記カードの装着時に導通させることを特徴とするものである。
【発明の効果】
【０００７】
本発明によれば、カード検出スイッチ機構をスライド部材を用いてスライドスイッチ構造に構成するので、各接点にそれらの形状に依存しないワイピングを生じ、しかもワイピング量も十分に確保することができるため、高い接触信頼性が得ることができる。またカード検出スイッチ機構がスライドスイッチ構造で省スペースに組込むことができ、しかも各接点の形状が簡単で小さく、カード検出スイッチ機構がより省スペースに組込むことができるため、カードコネクタの大きさを損なうことはなく、逆に小型化を図ることができる。よって、カードコネクタの大きさを損なわずに小型化を図りながら、カード検出スイッチ機構の接触信頼性を向上することができる。
【発明を実施するための最良の形態】
【０００８】
以下、本発明に係るカードコネクタの一実施形態を図面に基づいて説明する。
【０００９】
図８（Ａ）〜（Ｃ）は、本実施形態に装着されるカードを示し、（Ａ）は表面図、（Ｂ）は側面図、（Ｃ）は裏面図である。カード１は「トランスフラッシュ（登録商標）」や「マイクロＳＤカード（登録商標）」として周知のものであり、カード１の先端一側に誤挿入防止用の切欠き２が設けられ、この切欠き２より手前側の側面部に係合溝３が設けられている。またカード１の先端部裏面側には複数本（８本）の接続端子４が並設されている。
【００１０】
図２は、本実施形態にカードが挿入された場合の挿入初期の状態を示すの外観斜視図を示し、図３は、本実施形態にカードが挿入されていない場合の内部構造を示す平面図である。
【００１１】
本実施形態は、図２，図３に示すように、前記カード１を挿入するカード挿入口１０が前側面の左側に片寄せて開口した箱状（直方体状）のハウジング１１を備えている。ハウジング１１は、樹脂製（絶縁性）のハウジング本体２０と、このハウジング本体２０に上方から被着する金属板製（導電性）のカバー３０と、から構成されている。ハウジング１１の底面部，右側面部，後側面部，カード挿入口１０より右側の前側面部が、ハウジング本体２０に一体成形した底板部２１，右側壁部２２，後側壁部２３，前側壁部２４により樹脂で形成され、ハウジング１１の天面部，右側面部のカバー部，左側面部が、カバー３０に一体成形した天板部３１，右側面カバー部３２，左側壁部３３により金属で形成されている。
【００１２】
ハウジング本体２０にカバー３０を位置決めするための手段として、ハウジング本体２０の右側壁部２２外側面及び底板部２１左側端面には、カバー３０の板厚寸法と略同じ寸法で突出する位置決め用突起２５が設けられ、カバー３０の右側面カバー部３２及び左側壁部３３には、ハウジング本体２０側の位置決め用突起２５に上方から嵌合する下向きに開放した位置決め用切欠き３４が設けられている。またハウジング本体２０にカバー３０を固定するための手段として、ハウジング本体２０の右側壁部２２外側面及び底板部２１左側端面には、カバー３０の板厚寸法と略同じ寸法で突出する係合爪２６が設けられ、カバー３０の右側面カバー部３２及び前記左側壁部３３には、ハウジング本体２０側の係合爪２６を嵌込む係合孔３５が設けられている。カバー３０には図示しないプリント配線基板に対する半田付け用の脚部３６が複数設けられ、この脚部３６の下面がハウジング本体２０の底板部２１裏面（下面）に略面一に露出されている。
【００１３】
本実施形態は、図３に示すように、カード１の各接続端子４と電気的に接続する複数本（８本）のコンタクト４０を、ハウジング１１内に並設して備えている。各コンタクト４０は、金属薄板を打抜き加工及び曲げ加工して、側面視の形状が略「へ」の字形に形成された細幅の板バネからなり、前部がハウジング本体２０の底板部２１に圧入又はインサート成形により固定支持され、後部がハウジング本体２０の底板部２１の上に上下方向に弾性変位可能に突出されている。各コンタクト４０の前端部には、前記プリント配線基板に対する半田付け用の脚部４１が設けられ、この脚部４１の下面もハウジング本体２０の底板部２１裏面に略面一に露出されている。また各コンタクト４０の後端部には、カード１の接続端子４に接触させる山形の接点部４２が設けられている。
【００１４】
本実施形態は、図３に示すように、ハウジング１１内の右側部に配置され、カード挿入口１０からハウジング１１内に挿入されたカード１と共に前後方向に移動する樹脂製（絶縁性）のスライド部材５０を備えている。スライド部材５０は、底面がハウジング本体２０の底板部２１表面（上面）に摺動自在に支持され、右側面がハウジング本体２０の右側壁部２２内面に摺動自在に支持され、上面がカバー３０の天板部３１内面に摺動自在に支持されて、左右方向の移動が規制され、前後方向の移動のみが許容されている。カバー３０の左側壁部３３と対向するスライド部材５０の左側面には、カード１の切欠き２に嵌込む張出し部５１が設けられると共に、この張出し部５１の後端部（スライド部材５０の後端部）から左側に向かって垂直に突出させてカード１の先端面を当接させるカード受止め部５２が設けられている。
【００１５】
スライド部材５０は、プッシュ／プッシュ型のイジェクト機構を構成するもので、スライド部材５０はこれとハウジング本体２０の後側壁部２３間に設けられたコイルバネ６０により前方（カード排出方向）に向かって常時付勢されている。またスライド部材５０の上面にはハート型のカム溝７０が設けられており、両端部を一方向に直角に折曲げた細長い金属棒からなり、一端側折曲げ部をハウジング本体２０の右側壁部２２に回転自在に軸着したカムピン７１の他端側折曲げ部が、スライド部材５０のカム溝７０に摺動自在に嵌込まれている。このカムピン７１は、カバー３０の天板部３１の一部で形成された板バネ３７（図２参照）により常時下方に付勢され、ハウジング本体２０の右側壁部２２に設けられた軸受け孔にカムピン７１の一端側折曲げ部が挿入保持されると共に、スライド部材５０のカム溝７０底面にカムピン７１の他端側折曲げ部先端が摺動自在に押当てられている。さらにスライド部材５０にはハーフロックバネ８０が設けられている。このハーフロックバネ８０は、後部をスライド部材５０に固定支持し、前部を左右方向に弾性変位可能とした片持ち支持の板バネからなり、スライド部材５０の張出し部５１より手前側に延出するハーフロックバネ８０の前端部にカード１の係合溝３に嵌込む山形の係合部８１が設けられている。
【００１６】
而して、プッシュ／プッシュ型のイジェクト機構は、カード挿入口１０を通してハウジング１１内に挿入されるカード１にハーフロックバネ８０等でなる係合部材により係合され、カード１と共にカード挿抜方向に移動可能なスライド部材５０と、スライド部材５０を常時カード排出方向に付勢するコイルバネ６０等でなる付勢部材と、１回目のカード１の押込み操作により付勢部材に抗してスライド部材５０をカード１の装着位置に保持するロック機能、及び２回目のカード１の押込み操作によりロックを解除するロック解除機能を有するハート型のカム溝７０及びカムピン７１等でなるカム機構と、から構成されている。このプッシュ／プッシュ型のイジェクト機構は、カード１が挿入されていない場合、図３に示すように、スライド部材５０がカード排出方向の移動終端位置である初期位置に保持され、カムピン７１の他端側折曲げ部がカム溝７０の一端側起点部７０ａに嵌込む初期状態に保持されている。
【００１７】
本実施形態は、図１に示すようなカード検出スイッチ機構を備えている。図１は本実施形態に備えるカード検出スイッチ機構の平面説明図である。図１，図３に示すように、カード検出スイッチ機構９０は、スライド部材５０に設けられた摺動接点９１と、ハウジング１１のハウジング本体２０に取付けられ、スライド部材５０の移動方向に並ぶ前後一対の板バネ接点９２，９３と、からスライドスイッチ構造に構成されている。
【００１８】
摺動接点９１は、スライド部材５０を配置した側のハウジング本体２０の右側壁部２２内面に対向するスライド部材５０の右側面に、一表面を面一に露出した状態で固定取付けした矩形平板状の金属板からなり、スライド部材５０の移動によりスライド部材５０と一体に前後方向に移動する。摺動接点９１としての金属板は、スライド部材５０の右側面に予め設けられた接点嵌合用凹部に接着剤を介して嵌合固定する他、インサート成形によってもスライド部材５０に一体に設けることができる。なお、摺動接点９１は、金属板以外でも、一対の板バネ接点９２，９３の電気的接続が可能であれば、導電性樹脂板や表面に金メッキを施した樹脂板を用いることができる。
【００１９】
ハウジング本体２０の後部右側部には、ハウジング本体２０の右側壁部２２を部分的に切欠いて形成された接点収容空間２７が設けられると共に、この接点収容空間２７内には、接点収容空間２７を前後に仕切る隔壁２８が立設されている。
【００２０】
前側の板バネ接点９２は、前部をハウジング本体２０の接点収容空間２７より前側の右側壁部２２に固定支持し、後部を隔壁２８より前側の接点収容空間２７前部に左右方向に弾性変位可能に延出支持した片持ち支持の金属板バネからなり、板バネ接点９２の後端側には、接点収容空間２７前部からハウジング１１内右側部のスライド部材５０移動領域に突出させる山形の接点部９２ａが設けられている。
【００２１】
後側の板バネ接点９３は、ハウジング本体２０の後部右側の角部に沿うようＬ形に曲げられた金属板バネであって、左右方向に延びる後側の一片をハウジング本体２０の後側壁部２３右端に固定支持し、前後方向に延びる前側の一片を隔壁２８より後側の接点収容空間２７後部に左右方向に弾性変位可能に延出支持した片持ち支持の金属板バネからなり、板バネ接点９３の前後方向に延びる前側の一片（バネ片部）の前端部を隔壁２８に設けた係止面２８ａに押当てて係止させ、板バネ接点９３のバネ片部にプリロードを掛けると共に、この板バネ接点９３のバネ片部の中間部には、接点収容空間２７後部からハウジング１１内右側部のスライド部材５０移動領域に突出させる山形の接点部９３ａが設けられている。
【００２２】
各板バネ接点９２，９３の固定部分には、プリント配線基板に対する半田付け用の脚部９２ｂ，９３ｂが設けられ、この各脚部９２ｂ，９３ｂの下面もハウジング本体２０の底板部２１裏面に略面一に露出されている。
【００２３】
カード検出スイッチ機構９０は、カード１が挿入されていない場合、図１の仮想線，図３に示すように、摺動接点９１が、初期位置のスライド部材５０により各板バネ接点９２，９３の接点部９２ａ，９３ａより前側で、何れの接点部９２ａ，９３ａにも接触しないスイッチ開位置に保持され、スイッチ開状態（スイッチＯＦＦ状態）に保持されている。
【００２４】
上記のようにカード検出スイッチ機構９０は、一対の板バネ接点９２，９３に摺動接点９１が追加されてスライドスイッチ構造に構成されているが、摺動接点９１は、スライド部材５０の右側面に埋込む形で設けられ、スライド部材５０の外表面に突出しないため、追加部品である摺動接点９１の組込みスペース及び移動スペースをハウジング１１内に一切確保する必要がなく、カードコネクタの大型化を招くことはない。またカード検出スイッチ機構９０がスライドスイッチ構造であるため、一対の板バネ接点９２，９３の各接点部９２ａ，９３ｂを左右方向で対向配置する必要がなく、各板バネ接点９２，９３の組込みスペースを左右幅寸法で小さくすることができ、しかも各板バネ接点９２，９３の接点部９２ａ，９３ｂの形状が簡単で小さく、各板バネ接点９２，９３の組込みスペースを左右幅寸法でより小さくすることができるため、カードコネクタの大型化を招くことはなく、逆に小型化を図ることができる。
【００２５】
なお、スライド部材５０には、この後部右側の角部を斜めに落とし（面取り）、スライド部材５０の初期位置から後側への移動時に、各板バネ接点９２，９３の接点部９２ａ，９３ａをスライド部材５０の右側面に設けられた摺動接点９１の上に乗上げさせるための傾斜ガイド面５３が設けられている。
【００２６】
上記のように構成された本実施形態は、例えば携帯電話機等の電子機器筺体に内蔵されるプリント配線基板に表面実装され、カバー３０の各脚部３６と各コンタクト４０の脚部４１とカード検出スイッチ機構９０の各板バネ接点９２，９３の脚部９２ｂ，９３ｂとがプリント配線基板の配線パターンに半田付けされて固着され、電気的に接続された状態で使用される。カバー３０の脚部３６の全て又はいくつかはアースに電気接続され、人からの静電気をカバー３０を通じてアースに逃がし、プリント配線基板に実装される各種電子部品等の静電破壊を防止するようになっている。
【００２７】
次に本実施形態にカード１が挿入された場合の動作について説明する。
【００２８】
図４は、本実施形態にカードが挿入された場合の挿入初期の状態の内部構造を示す平面図、図５は、本実施形態にカードが挿入されて最押込み位置まで押込まれた状態の内部構造を示す平面図、図６は、本実施形態にカードが挿入されて装着された状態の内部構造を示す平面図、図７は、本実施形態にカードが挿入されて最押込み位置まで押込まれた状態のカード検出スイッチ機構部を示す斜視図である。
【００２９】
カード１がこの裏面を下にして幅の小さい先端部からカード挿入口１０を通してハウジング１１の内部に正規挿入されると、カード１はこの切欠き部２にスライド部材５０の張出し部５１が嵌込みながらスライド部材５０とカバー３０の左側壁部３３間に嵌込み、カード１の先端面がスライド部材５０のカード受止め部５２に当接する。この挿入初期において、カード１の切欠き部２がハーフロックバネ８０の係合部８１を通過する際、ハーフロックバネ８０の係合部８１は右側への弾性変位を伴ってカード１の切欠き部２と係合溝３間の側面部に乗上がり、スライド部材５０の受止め部５２がカード１の先端面との当接によりカード１を受止めるのと略同時に、カード１の係合溝３がハーフロックバネ８０の係合部８１に対向し、ハーフロックバネ８０の係合部８１がハーフロックバネ８０の左側への弾性復帰を伴ってカード１の係合溝３に嵌込む。これにより、カード１とスライド部材５０とがカード挿抜方向（前後方向）で係合され、カード１にハーフロックが掛けられる（図４参照）。
【００３０】
カード１が上記挿入初期の状態からさらにハウジング１１内の後側（奥側）に挿入されると、カード１はこの先端面でスライド部材５０の受止め部５２を後側へ押圧し、スライド部材５０がコイルバネ６０の付勢力に抗してカード１の挿入に伴い初期位置からハウジング１１内の後側へと押込まれる。その後、カード１は先端面がハウジング本体２０の後側壁部２３に突当たる最押込み位置まで押込まれ、スライド部材５０もコイルバネ６０の付勢力に抗してカード１の押込みに伴い後端面がハウジング本体２０の後側壁部２３に突当たるカード挿入方向の移動終端位置である最押込み位置まで押込まれる（図５参照）。
【００３１】
上記のようにカード１が最押込み位置に押込まれた状態で、カード１の押込み力を解除すると、スライド部材５０がコイルバネ６０の付勢力により最押込み位置から前側へ押戻され、これに伴ってカード１も最押込み位置から前側へ押戻される。このスライド部材５０の初期位置からの一連の動作により、カムピン７１の他端側折曲げ部がカム溝７０の一端側起点部７０ａから往路７０ｂを通過して他端側係止部７０ｃに導入係止され、スライド部材５０の前側への移動が最押込み位置より少し手前のカード装着位置で規制され、スライド部材５０がハウジング本体２０に対してロックされる。これにより、スライド部材５０とカード挿抜方向で係合しているカード１はカード装着位置に保持され、カード１の各接続端子４に各コンタクト４０の接点部４２が接触し、カード１の各接続端子４と各コンタクト４０が電気的に接続され、カード装着状態となり、電子機器とカード１間で信号の送受が行えるようになる（図６参照）。
【００３２】
また上記のカード挿入装着時、カード検出スイッチ機構９０は、スライド部材５０の初期位置から最押込み位置への移動により摺動接点９１がスライド部材５０と一体にスイッチ開位置から後側へ移動する。摺動接点９１はスライド部材５０の初期位置から最押込み位置への移動によりスライド部材５０の傾斜ガイド面５３に接触・摺動して右側への弾性変位を伴い該摺動接点９１の上に乗上がる前側の板バネ接点９２の接点部９２ａを右側に押圧しながら接触・摺動し（ワイピングし）、続いて摺動接点９１は前側の板バネ接点９２の接点部９２ａと接触したままで、スライド部材５０がカード装着位置を通過する直前にスライド部材５０の傾斜ガイド面５３に接触・摺動して右側への弾性変位を伴って該摺動接点９１の上に乗上がる後側の板バネ接点９３の接点部９３ａを右側に押圧しながら接触・摺動し（ワイピングし）、以降、摺動接点９１はスライド部材５０がカード装着位置を通過する直前から最押込み位置を経てカード装着位置に移動する間、各板バネ接点９２，９３の接点部９２ａ，９３ａと接触したままで、スライド部材５０と一体に移動し、スライド部材５０がカード装着位置に達してハウジング本体２０にロックされることにより、各板バネ接点９２，９３の接点部９２ａ，９３ａの左側で、両方の接点部９２ａ，９３ａと接触し、各板バネ接点９２，９３を導通させるスイッチ閉位置に保持される。これにより、カード検出スイッチ機構９０は、各板バネ接点９２，９３がスイッチ閉位置の摺動接点９１を通じて電気的に接続されたスイッチ閉状態（スイッチＯＮ状態）となり、カード１の装着を検出することができる（図１，図５，図６，図７参照）。
【００３３】
一方、上記のカード装着状態でカード１の押込み操作を行うことにより、カード１とスライド部材５０が共に再び最押込み位置へ押込まれる。このスライド部材５０の動作により、カムピン７１の他端側折曲げ部が、カム溝７０の係止部７０ｃから離脱して復路７０ｄに導入され、スライド部材５０のカード装着位置でのロックが解除される。この時点でカード１の押込み力を解除することにより、スライド部材５０はコイルバネ６０の付勢力により最押込み位置から前方へ押戻されて初期位置へと復帰し、スライド部材５０とカード挿抜方向で係合されているカード１が排出（イジェクト）されて挿入初期の位置に保持される。この挿入初期の位置まで排出されたカード１は、カード挿入口１０からハウジング１１の外側に突出している端部を指で摘んで引っ張ることにより、ハーフロックバネ８０の係合部８１がハーフロックバネ８０の右側への弾性変位を伴ってカード１の係合溝３から抜出してカード１の切欠き部２と係合溝３との間の側面に乗上がり、カード１のハーフロックが解除され、ハウジング１１内からカード挿入口１０を通して抜去ることができる。
【００３４】
また上記のカードイジェクト時、カード検出スイッチ機構９０は、スライド部材５０のカード装着位置から初期位置への復帰移動により摺動接点９１がスライド部材５０と一体にスイッチ閉位置から再び各板バネ接点９２，９３の接点部９２ａ，９３ａに対して摺動しながらスイッチ開位置に復帰し、スイッチ開状態（スイッチＯＦＦ状態）となる。
【００３５】
上記のように本実施形態は、カード検出スイッチ機構９０をスライド部材５０を用いてスライドスイッチ構造に構成するので、つまりスライド部材５０に接点を設け、スライド部材５０と一体に移動する摺動接点９１を用いてスライドスイッチ構造に構成するので、各接点９１，９２，９３にそれらの形状に依存しないワイピングを生じ、各接点９１，９２，９３の表面がセルフクリーニング効果を受け、しかもスライド部材５０の移動距離分の十分なワイピング量を確保することができるため、高い接触信頼性を得ることができる。またカード検出スイッチ機構９０がスライドスイッチ構造で省スペースに組込むことができ、しかも各接点９１，９２，９３の形状が簡単で小さく、カード検出スイッチ機構９０がより省スペースに組込むことができるため、カードコネクタの大きさを損なうことはなく、逆に小型化を図ることができる。よって、カードコネクタの大きさを損なわずに小型化を図りながら、カード検出スイッチ機構９０の接触信頼性を向上することができる。
【００３６】
以上、本実施形態は本発明の一実施形態を示したが、本発明はそれに限定されることなく、その要旨を逸脱しない範囲内で種々変形実施することができる。例えば本実施形態とは逆にスライド部材側に設ける摺動接点として板バネを用い、ハウジング本体側に設ける前後一対の接点として金属板を用いてそれぞれを固定接点としたスライドスイッチ構造のカード検出スイッチ機構に構成しても良い。
【図面の簡単な説明】
【００３７】
【図１】本実施形態に備えるカード検出スイッチ機構の平面説明図である。
【図２】本実施形態にカードが挿入された場合の挿入初期の状態を示す外観斜視図である。
【図３】本実施形態にカードが挿入されていない場合の内部構造を示す平面図である。
【図４】本実施形態にカードが挿入された場合の挿入初期の状態の内部構造を示す平面図である。
【図５】本実施形態にカードが挿入されて最押込み位置まで押込まれた状態の内部構造を示す平面図である。
【図６】本実施形態にカードが挿入されて装着された状態の内部構造を示す平面図である。
【図７】本実施形態にカードが正規挿入されて最押込み位置まで押込まれた状態のカード検出スイッチ機構部を示す斜視図である。
【図８】本実施形態に装着されるカードを示し、（Ａ）は表面図、（Ｂ）は側面図、（Ｃ）は裏面図である。
【符号の説明】
【００３８】
１  カード
１０  カード挿入口
１１  ハウジング
５０  スライド部材
９０  カード検出スイッチ機構
９１  摺動接点
９２  前側の板バネ接点
９３  後側の板バネ接点
【図１】
0004469803.tif 000002
【図２】
0004469803.tif 000003
【図３】
0004469803.tif 000004
【図４】
0004469803.tif 000005
【図５】
0004469803.tif 000006
【図６】
0004469803.tif 000007
【図７】
0004469803.tif 000008
【図８】
0004469803.tif 000009